(57)【特許請求の範囲】
【請求項１】
通水性のある素材により袋状に形成された袋体と、この袋体内に収納された束子本体とを備えた束子であって、前記袋体は、平面視略繭形に裁断された素材の窪み部にその両端部分を残して切り込みを入れて袋口を形成し、この切り込みを折畳み線として折り畳み、袋口を除く縁部同士を逢着して袋状に形成したものを表裏ひっくり返した後に、前記袋口を袋体内に向けて折り返すことにより形成されていることを特徴とする束子。
【発明の詳細な説明】
【０００１】
【発明の属する技術分野】
本発明は束子に関する。より詳しくは、束子本体を直接握らずに洗浄作業を行うことができ、指や爪を傷めにくい束子に関するものである。
【０００２】
【従来の技術】
図６は実開平２−１０９５５２号に開示された従来の束子を示す斜視図、図７は同じく袋口を上にした状態の束子の平面図である。
これらの図において、１０はメッシュ状の素材よりなる袋体、１１はこの袋体１０内に収納された金属製線材を球状にした束子本体である。袋体１０の袋口１２には、伸縮自在なゴムひも１３が縫着されており、開口１２ａが絞られた状態となっている。これにより、束子本体１１が開口１２ａから抜け出しにくくなっている。
【０００３】
このような束子は、袋体１０で覆われている部分１４を握って、開口１２ａに露出している束子本体１１の露出部１１ａを食器等の汚れている箇所に擦りつけて使用する。
上述した束子によれば、束子本体１１が袋体１０内に収納されているので、金属製の束子本体１１を直接握らずに洗浄作業を行なうことができる。
【０００５】
【発明が解決しようとする課題】
袋体１０の袋口１２には、束子本体１１が袋体１０から抜け出さないようにするためにゴムひも１３が逢着されていた。このため、袋体の作成が煩雑であるという問題があった。
【０００７】
本発明の目的は、上述した課題を解決し、袋体の作成が簡単な束子を提供することにある。
【０００９】
【課題を解決するための手段】
上記の目的を達成するために請求項１記載の束子は、通水性のある素材により袋状に形成された袋体と、この袋体内に収納された束子本体とを備えた束子であって、前記袋体は、平面視略繭形に裁断された素材の窪み部にその両端部分を残して切り込みを入れて袋口を形成し、この切り込みを折畳み線として折り畳み、袋口を除く縁部同士を逢着して袋状に形成したものを表裏ひっくり返した後に、前記袋口を袋体内に向けて折り返すことにより形成されていることを特徴とする。
【００１３】
【作用効果】
請求項１記載の束子によれば、束子本体が袋体内に収納されているので、束子本体を直接握らずに洗浄作業を行なうことができる。
【００１４】
袋体の袋口は、袋体内に向けて折り返されているので、袋体内に束子本体が収納されると、袋口の折返し部分に束子本体が引っ掛かった状態となり、束子本体が袋口から抜け出しにくくなる。
【００１５】
すなわち、請求項１記載の束子によれば、上述した従来の束子のようにゴムひもを袋口に縫い合わせるといった煩わしい製作工程を必要とせず、袋体の袋口を袋体内に向けて折り返すという簡単な製作工程により、束子本体が袋口から抜け出しにくくなるようにすることができる。
【００１６】
すなわち、請求項１記載の束子によれば、袋体の作成が簡単になるという効果が得られる。
【００１７】
請求項１記載の束子は、例えば、次のような手順により作成することができる。
（i）平面視略繭形に素材を裁断するとともに、その窪み部に、その両端部分を残して切り込みを入れ、袋口を形成する。
（ii）切り込みを折畳み線として素材を折り畳み、袋口を除いた縁部同士を逢着する。これにより、素材が袋状に形成される。袋口の両端部分には、切り込みが入れられずに連なった状態で残った部分と逢着された縁部とによって、角部が形成される。
（iii）袋状に形成された素材の表裏をひっくり返す。すると、上述した角部が、袋口の両端部から袋内に向けて折り返された状態に入り込む。
（iv）このように袋内に入り込んだ状態の角部を、袋内にさらに押し込むようにして袋口を袋内に向けて折り返す。これによって、袋口が袋内に折り返された袋体が形成される。
【００１８】
このように、請求項１記載の束子によれば、上述した素材の表裏をひっくり返すと、袋口の両端部分の連なった部分と縁部とで構成された角部が、袋口の両端部から袋内に向けて折り返された状態に入り込むので、袋内に向けて袋口が折り返しやすくなる。したがって、折り返しの形成が簡単になるという効果が得られる。
【００１９】
袋口は、上述した製作工程において、その両端部分が連なった状態で残るように切り込まれて形成されているので、その分、すぼまった状態となり、袋内に向けて袋口が折り返されると、折り返し部は、先端部にいくほどすぼまった状態の逆テーパ状となる。
【００２０】
したがって、袋体内に束子本体を収納すると、折返し部に束子本体がより引っ掛かりやすくなり、束子本体が袋口から一層抜けにくくなるという効果が得られる。
【００２１】
【発明の実施の形態】
以下、本発明の実施の形態について図面を参照して説明する。
【００２２】
図１は本発明に係る束子の一実施の形態を示す斜視図、図２は同じく縦断面図、図３は袋体の裁断図である。
【００２３】
これらの図において、１は通水性を備えた素材により袋状に形成された袋体であり、本実施の形態では、袋体１の素材として、後述する束子本体の端部が貫通しにくいナイロン（商標）不織布を採用している。袋体１は、図３に示すように、平面視で略繭形に裁断したものを、後述するようにして縫着することにより形成される。
【００２４】
図２に示すように、袋体１の袋口２は袋体１内に向けて折り返されており、折返し部３は、その左右両側部３ａ，３ｂが、袋体１の側部１ａ，１ｂにそれぞれ縫着されている。これによって、折り返された状態での保形性が保たれている。
【００２５】
４は金属製の束子本体であり、本実施の形態では、ステンレス線材を細くカールさせたものを球状に巻いて形成してある。束子本体４としては、ステンレス線材を用いたものの他に、銅とニッケルとの合金あるいは銅と亜鉛との合金等からなる線材を用いたものを採用し得る。
【００２６】
図２に示すように、束子本体４は、袋体１内に収納された状態で、その上部４ａが袋口２から盛り上がるようにして露出した状態となっている。
【００２７】
このような束子は、例えば、以下に説明するようにして作成される。
（i）図３に示すように、平面視略繭形に不織布Ｆを裁断するとともに、その窪み部Ｃに、その両端部分Ｔ１，Ｔ２を残して切り込みＴを入れ、袋口２を形成する。
（ii）切り込みＴを折畳み線として、図４に示すように、不織布Ｆを折り畳み、袋口２を除いた縁部Ｓ同士を逢着する。これにより、不織布Ｆが袋状に形成される。袋口２の両端部分Ｔ１，Ｔ２は、切り込みが入れられずに連なった状態となっているので、この両端部分Ｔ１，Ｔ２と逢着された縁部Ｓ１，Ｓ２とによって、角部Ｋ１，Ｋ２が形成される。
（iii）袋状に形成された不織布Ｆの表裏をひっくり返す。すると、図５（ａ）に示すように、上述した角部Ｋ１，Ｋ２が、袋口２の両端部から袋内１ｃに向けて折り返された状態に入り込む。
（iv）このように袋内１ｃに入り込んだ状態の角部Ｋ１，Ｋ２を、袋内１ｃにさらに押し込むようにして、袋口２を袋内１ｃに向けて折り返す。これによって、図５（ｂ）に示すように、袋口２の折り返し部３が袋内１ｃに折り返される。
（v）図５（ｂ）に示すように、折り返し部３の両側部３ａ，３ｂを袋体１の側部１ａ，１ｂに部分的に逢着する。以上のような手順により、袋体１が形成される。なお、折り返し部３の両側部３ａ，３ｂと袋体１の側部１ａ，１ｂとは必ずしも逢着しなくてもよい。
（vi）このようにして形成された袋体１内に、束子本体４を押し込む。これにより、図１，図２に示したような束子が作成される。
【００２８】
上述した本実施の形態の束子によれば、束子本体４が袋体１内に収納されているので、束子本体４を直接握らずに洗浄作業を行なうことができる。
【００２９】
袋体１は不織布Ｆにより形成されているので、袋体１内に収納された束子本体４をなす線材の端部４ｂが、袋体１を突き抜けて突出しにくくなる。
したがって、洗浄時に指や爪などを傷めにくいという効果が得られる。
【００３０】
袋体１の袋口２は、袋体１内に向けて折り返されているので、袋体１内に束子本体４が収納されると、袋口２の折返し部３に束子本体４が引っ掛かった状態となり、束子本体４が袋口２から抜け出しにくくなる。
【００３１】
すなわち、本実施の形態の束子によれば、上述した従来の束子のようにゴムひも１３を袋口に縫い合わせるといった煩わしい製作工程を必要とせず、袋体１の袋口２を袋体１内に向けて折り返すという簡単な製作工程により、束子本体４が袋口２から抜け出しにくくなるようにすることができる。
【００３２】
すなわち、本実施の形態の束子によれば、袋体１の作成が簡単になるという効果が得られる。
【００３３】
前記製作工程（i）（ii）で得られた不織布Ｆの表裏をひっくり返すと、図５（ａ）に示すように、袋口２の両端部分Ｔ１，Ｔ２と縁部Ｓ１，Ｓ２とで構成された角部Ｋ１，Ｋ２が、袋口２の両端部から袋内１ｃに向けて折り返された状態に入り込むので、袋内１ｃに向けて袋口２が折り返しやすくなる。したがって、折り返し部３の形成が簡単になるという効果が得られる。
【００３４】
袋口２は、上述した製作工程において、図３に示すように、その両端部分Ｔ１，Ｔ２が連なった状態で残るように切り込まれて形成されているので、その分、すぼまった状態となり、図５（ｂ）に示すように、袋内１ｃに向けて袋口２が折り返されると、折り返し部３は、先端部３ｃにいくほどすぼまった状態の逆テーパ状となる。
【００３５】
したがって、袋体１内に束子本体４を収納すると、図２に示すように、折返し部３の先端部３ｃに束子本体４がより引っ掛かりやすくなり、束子本体４が袋口から一層抜けにくくなるという効果が得られる。
【００３６】
なお、袋体１は不織布Ｆにより形成されているので、束子本体４を用いた洗浄と、この袋体１を用いた洗浄との２通りの洗浄をひとつの束子で行なうことができ、洗浄するものに合わせて洗い分けをすることができるという効果も得られる。
【００３７】
以上、本発明の一実施の形態について説明したが、本発明は上記実施の形態に限定されるものではなく、本発明の要旨の範囲内において適宜変形実施可能である。
【図面の簡単な説明】
【図１】本発明に係る束子の一実施の形態を示す斜視図。
【図２】同じく縦断面図。
【図３】袋体の裁断図。
【図４】作成手順を説明するための図。
【図５】（ａ）（ｂ）は作成手順を説明するための図。
【図６】従来技術の説明図。
【図７】従来技術の説明図。
【符号の説明】
１            袋体
２            袋口
３            折返し部
４            束子本体
Ｃ            窪み部
Ｆ            不織布
Ｓ            縁部
Ｔ            切り込み
Ｔ１，Ｔ２    両端部分
【図１】
0004306839.tif 000002
【図２】
0004306839.tif 000003
【図３】
0004306839.tif 000004
【図４】
0004306839.tif 000005
【図５】
0004306839.tif 000006
【図６】
0004306839.tif 000007
【図７】
0004306839.tif 000008